(57)【特許請求の範囲】
【請求項１】
複数の光コネクタを収納するトレイを、収納ケース内に回動可能に配設した光コネクタ収納ケースにおいて、
被取付部に取り付けられる取付部を背面に有し、光スプリッタモジュールを収納するためのスプリッタ収納室を内側に有したベーストレイと、
該ベーストレイの表面側にヒンジ部を介して開閉可能に取り付けられ、裏面側に光ファイバ素線の余長部分を収納する余長処理室を有し、表面側に該複数の光コネクタを収納する光コネクタ収納室を有した第１トレイと、
該第１トレイの表面側にヒンジ部を介して開閉可能に取り付けられ、裏面側に光ファイバ素線の余長部分を収納する余長処理室を有し、表面側に該複数の光コネクタを収納する光コネクタ収納室を有した第２トレイと、
該第１トレイ及び該第２トレイを包囲して該ベーストレイに取り付けられるカバーと、
を備え、該収納ケースは該ヒンジ部のヒンジ軸を鉛直として該被取付部に縦に取り付けられ、該第１トレイ及び第２トレイは側端部に設けた該ヒンジ軸を介して前後に開閉可能に装着され、
該第１トレイ及び該第２トレイの光コネクタ収納室には、該光コネクタのコネクタプラグを上下方向から差込可能に、該光コネクタのコネクタソケットを保持する複数の光コネクタ保持枠が、各々、枢支部を介して前方に引き出し回動可能に配設され、且つ光ケーブルの導出用把持溝を有するケーブル把持部を下部に設けた把持フレームが、上枢支部を介して前方に引き出し回動可能に配設され、該導出用把持溝は、該コネクタプラグを先端に接続した光ケーブルを把持するように形成されたことを特徴とする光コネクタ収納ケース。
【請求項２】
前記第１トレイ、第２トレイのトレイ本体の上部には、裏面側と連通する開口部と共に裏面側の余長処理部からの光ファイバ素線を通すための複数の湾曲溝を有する上湾曲溝部が、前記各光コネクタ保持枠の位置に対応して形成されたことを特徴とする請求項１記載の光コネクタ収納ケース。
【請求項３】
前記第２トレイのトレイ本体の裏面側下部に、光ケーブルの導入用の導入ケーブル把持部及び光ケーブルの導出用の導出ケーブル把持部が設けられたことを特徴とする請求項１記載の光コネクタ収納ケース。
【請求項４】
前記第２トレイのトレイ本体の下部には、裏面側と連通する開口部と共に裏面側の余長処理部からの光ファイバ素線を通すための複数の湾曲溝を有する下湾曲溝部が、前記各光コネクタ保持枠の位置に対応して形成され、該下湾曲溝部は該余長処理室から引き出された該光ファイバ素線を前記光コネクタ保持枠に入れるように形成されたことを特徴とする請求項１記載の光コネクタ収納ケース。
【請求項５】
前記第１トレイ及び第２トレイの前記光コネクタ収納室内の前記光コネクタ保持枠には、各々、光コネクタの収納位置で係止される係止部が設けられ、該係止部は該光コネクタ保持枠の操作により係止と係止解除を可能に形成されたことを特徴とする請求項１記載の光コネクタ収納ケース。
【発明の詳細な説明】
【技術分野】
【０００１】
本発明は、主に引上げ管に取り付けて設置され、加入者側の光ケーブルと局側の光ケーブルを接続する光コネクタを収納する光コネクタ収納ケースに関する。
【背景技術】
【０００２】
例えば、集合住宅などの建物内に、局側の光ケーブルを引き込み、加入者側の光ケーブルと接続する光コネクタを収納する光コネクタ収納ケースとして、下記特許文献１に記載される収納ケースが知られている。
【先行技術文献】
【特許文献】
【０００３】
【特許文献１】特開２０１１−１９１３３３号公報
【発明の概要】
【発明が解決しようとする課題】
【０００４】
この収納ケースは、深さの浅いトレイ状のケースを備え、ケース内に光コネクタを並べて収納する収納部を設けるとともに、光ファイバの余長部分を巻回処理して収納する余長収納部を設けて構成され、２個のケースがピンにより上下に回動可能に枢支されて、ベース上に並設されて構成される。
【０００５】
ベースは、光接続箱に収納されて設置され、光接続箱に出入りする局側の光ケーブル（テンションメンバーと共に光ファイバ素線を被覆層で被覆したフラットケーブル）及び加入者側の同様の光ドロップケーブルの光コネクタが接続される接続部が各ケースの端部に設けられ、接続部の光コネクタを介してケース内に導入された光ファイバ素線を接続する光スプリッタモジュール、及び光ファイバ素線の余長収納部が、同じケース内に設けられている。
【０００６】
しかし、上記従来の収納ケースは、同一ケース内の狭い収納空間に、光スプリッタモジュール部及び余長収納部がそのまま分離されない状態で配置され、さらにそのケースの端部に、光コネクタの収納部が形成されるため、ケース内で多数の光ファイバ素線や光ケーブルが輻輳する状態となり、接続作業の作業性の悪化と共に、既設の光ファイバ素線に悪影響を与えやすい。
【０００７】
特に、光スプリッタモジュールと余長収納部が同じケース内に配置される場合、光スプリッタモジュールに入る光ケーブル、光スプリッタモジュールから導出される多数の光ファイバ素線及び光コネクタからの光ファイバ素線、さらに単独で光コネクタを通してケース内に導入された光ファイバ素線などは非常に錯綜しやすい。
【０００８】
このため、作業者が光接続箱内で光ケーブルの接続業務を行う際、既設の光ファイバ素線に触れてそれを大きく動かすと、光ファイバの伝送損失を悪化させやすいため、非常に注意深く作業を行なう必要があり、そのために効率良く光ケーブルの接続作業を行なうことが難しいという課題があった。
【０００９】
本発明は、上述の課題を解決するものであり、収納ケースに収納された光コネクタを用いて、光ケーブルを効率良く適正に接続することができる光コネクタ収納ケースを提供することを目的とする。
【課題を解決するための手段】
【００１０】
本発明に係る光コネクタ収納ケースは、
複数の光コネクタを収納するトレイを、収納ケース内に回動可能に配設した光コネクタ収納ケースにおいて、
被取付部に取り付けられる取付部を背面に有し、光スプリッタモジュールを収納するためのスプリッタ収納室を内側に有したベーストレイと、
該ベーストレイの表面側にヒンジ部を介して開閉可能に取り付けられ、裏面側に光ファイバ素線の余長部分を収納する余長処理室を有し、表面側に該複数の光コネクタを収納する光コネクタ収納室を有した第１トレイと、
該第１トレイの表面側にヒンジ部を介して開閉可能に取り付けられ、裏面側に光ファイバ素線の余長部分を収納する余長処理室を有し、表面側に該複数の光コネクタを収納する光コネクタ収納室を有した第２トレイと、
該第１トレイ及び該第２トレイを包囲して該ベーストレイに取り付けられるカバーと、
を備え、該収納ケースは該ヒンジ部のヒンジ軸を鉛直として該被取付部に縦に取り付けられ、該第１トレイ及び第２トレイは側端部に設けた該ヒンジ軸を介して前後に開閉可能に装着され、
該第１トレイ及び該第２トレイの光コネクタ収納室には、該光コネクタのコネクタプラグを上下方向から差込可能に、該光コネクタのコネクタソケットを保持する複数の光コネクタ保持枠が、各々、枢支部を介して前方に引き出し回動可能に配設され、且つ光ケーブルの導出用把持溝を有するケーブル把持部を下部に設けた把持フレームが、上枢支部を介して前方に引き出し回動可能に配設され、該導出用把持溝は、該コネクタプラグを先端に接続した光ケーブルを把持するように形成されたことを特徴とする。
【００１１】
この発明の光コネクタ収納ケースによれば、開閉可能な第１トレイ及び第２トレイに余長処理室を裏面側に設け、表面側に光コネクタ収納室を設けているため、余長処理と光コネクタの接続操作を分離して行なうことができ、光ファイバ素線と光ケーブルがケース内で輻輳する状態を回避して、光コネクタの接続作業を適正に効率良く行なうことができる。
【００１２】
また、光コネクタを保持する各光コネクタ保持枠が前方に引き出し回動可能に枢支されているので、光コネクタのコネクタプラグをコネクタソケットに差し込んで接続する際、各光コネクタ保持枠を前方に引き出して、簡単に接続することができる。さらに、把持フレームを前に引き出した場合、光コネクタ保持枠に保持された既設の光コネクタとそこに接続された光ケーブルが前方に引き出されるので、第２トレイ内の未接続の光コネクタにコネクタプラグや光ファイバ素線を接続する際、既設の光コネクタや光ケーブルが邪魔にならず、既設の光ファイバ素線に触れずに安全に接続作業を行なうことができる。
【００１３】
ここで、上記第１トレイ、第２トレイのトレイ本体の上部には、裏面側と連通する開口部と共に裏面側の余長処理部からの光ファイバ素線を通すための複数の湾曲溝を有する上湾曲溝部が、上記各光コネクタ保持枠の位置に対応して形成されることが好ましい。これによれば、開口部及び湾曲溝を通して光ファイバ素線を、裏面側の余長処理部から表面側の光コネクタ収納部の各光コネクタ保持枠内の光コネクタに、輻輳したり折れ曲げたりせずに、安全に配線することができる。
【００１４】
また、上記第２トレイのトレイ本体の裏面側下部に、光ケーブルの導入・導出用の導入ケーブル把持部及び導出ケーブル把持部を設けることが好ましい。これによれば、導入ケーブル把持部を通して導入した光ケーブルの光ファイバ素線を、直ぐに余長処理室に入れて余長処理することができ、また、導出するために表面側の光コネクタからコネクタプラグを介して余長処理部に導入した光ファイバ素線を有する光ケーブルを、導出ケーブル把持部を通して安全に導出することができる。
【００１５】
また、上記第２トレイのトレイ本体の下部には、裏面側と連通する開口部と共に裏面側の余長処理部からの光ファイバ素線を通すための複数の湾曲溝を有する下湾曲溝部が、上記各光コネクタ保持枠の位置に対応して形成され、該下湾曲溝部は該余長処理室から引き出された該光ファイバ素線を上記光コネクタ保持枠に入れるように形成されることが好ましい。これによれば、第２トレイの光コネクタ収納室内に配された光コネクタのコネクタプラグからの光ファイバ素線を、湾曲溝を通して裏面側の余長処理室に安全に配線することができる。
【００１６】
また、上記第１トレイ及び第２トレイの光コネクタ収納室内の光コネクタ保持枠には、各々、光コネクタの収納位置で係止される係止部が設けられ、該係止部は該光コネクタ保持枠の操作により係止と係止解除を可能に形成することが好ましい。
【００１７】
これによれば、光コネクタを保持した各光コネクタ保持枠を、光コネクタ収納室内の定位置で保持する一方、光コネクタのコネクタプラグをコネクタソケットに接続する際には、簡単に係止部の係止を外して、光コネクタ保持枠を引き出し回動させ、容易に接続作業を行うことができる。
【発明の効果】
【００１８】
この発明の光コネクタ収納ケースによれば、局側の光ケーブル及び加入者側の光ケーブルなどを、収納ケースに収納した光コネクタを介して、適正に効率良く接続することができる。
【図面の簡単な説明】
【００１９】
【図１】本発明の一実施形態を示す光コネクタ収納ケースの斜視図である。
【図２】同光コネクタ収納ケースの背面から見た斜視図である。
【図３】カバーを外した状態の正面からの斜視図である。
【図４】カバーを外した状態の正面図である。
【図５】カバーを外した状態の右側面図である。
【図６】ベーストレイに対し第１トレイ、第２トレイを開いた状態の斜視図である。
【図７】ベーストレイに対し第１トレイ、第２トレイを開いた状態の、側面から見た斜視図である。
【図８】第１トレイまたは第２トレイの斜視図である。
【図９】第１トレイまたは第２トレイの、光コネクタ保持枠及びケーブル把持部を外した状態の分解斜視図である。
【図１０】一部の光コネクタ保持枠を引き出し回動させた状態の斜視図である。
【図１１】第１トレイまたは第２トレイのトレイ本体の斜視図である。
【図１２】同トレイ本体の斜め下側から見た斜視図である。
【図１３】同トレイ本体の背面側から見た斜視図である。
【図１４】右側から見た光コネクタ保持枠の斜視図（ａ）と背面側から見た光コネクタ保持枠の斜視図（ｂ）である。
【図１５】右側から見た把持フレームの斜視図（ａ）と背面側から見た把持フレームの斜視図（ｂ）である。
【図１６】把持フレームを引き出し回動させた状態の斜視図である。
【図１７】光コネクタ保持枠を引き出し回動させた状態の斜視図である。
【図１８】光コネクタを光コネクタ保持枠に組み付け、把持フレームを引き出し回動させた状態の右側から見た斜視図である。
【図１９】光コネクタを光コネクタ保持枠に組み付け、把持フレームを引き出し回動させた状態の左側から見た斜視図である。
【図２０】使用形態を示す光コネクタ収納ケースの正面図である。
【図２１】同光コネクタ収納ケースの背面図である。
【図２２】他の使用形態を示す正面図である。
【発明を実施するための形態】
【００２０】
以下、本発明の一実施形態を図面に基づいて説明する。図１〜３などに示すように、光コネクタの収納ケース１は、引上げ管Ｐなどの被取付部に取り付けられる取付部としての管クランプ２８を背面に有し、光スプリッタモジュール１０（図７）を収納するためのスプリッタ収納室２１を内側に有したベーストレイ２と、ベーストレイ２の表面側にヒンジ部４０ａを介して開閉可能に取り付けられ、裏面側に光ファイバ素線の余長部分を収納する余長処理室４９を有し、表面側に該複数の光コネクタを収納する光コネクタ収納室４２を有した第１トレイ４と、第１トレイ４の表面側にヒンジ部５０ａを介して開閉可能に取り付けられ、裏面側に光ファイバ素線の余長部分を収納する余長処理室５９を有し、表面側に該複数の光コネクタを収納する光コネクタ収納室５２を有した第２トレイ５と、第１トレイ４及び第２トレイ５を包囲してベーストレイ２に取り付けられるカバー３と、を備えて構成される。
【００２１】
収納ケース１のベースであり、背面に位置するベーストレイ２は、図７に示すように、浅いトレイ状に形成され、その内側に、光スプリッタモジュール１０を収納するためのスプリッタ収納室２１を内側に設けており、スプリッタ収納室２１には光スプリッタモジュール１０を定位置に止めるためのモジュール止め２５が設けられる。また、ベーストレイ２の内側の一側部に、ヒンジ用の１対の支柱２２が上部と下部に立設され、図６に示すように、各支柱２２の先端近傍に支軸２３が嵌着され、１対のヒンジ用の支軸２３により、上記第１トレイ４、第２トレイ５がヒンジ部４０ａ，５０ａを介して開閉可能に支持される。
【００２２】
また、図１，２のように、ベーストレイ２の両側部には、嵌合溝２４が縦辺に沿って形成され、カバー３を被せる際、カバー３の両側の側縁部を嵌合溝２４に嵌入してカバーを嵌着する。また、カバー３の両側下部には、係止部３ａが設けられ、カバー３を被せたとき、その係止部３ａをベーストレイ２の下部の係止部に係止させる構造となっている。カバー３は、ベーストレイ２上の第１トレイ４と第２トレイ５の全体を覆う大きさに形成されている
第１トレイ４と第２トレイ５は、基本的には、同一の構造のトレイを用いて構成され、同一の金型を用いて成型可能としている。ただし、第１トレイ４と第２トレイ５の機能は後述するように異なっており、表側の第２トレイ５では、図１６に示すように、トレイ本体５０の下部に設けた溝部が導入ケーブル把持部２６及び導出ケーブル把持部２７となっている一方、内側の第１トレイ４では、トレイ本体４０の下部に設けた溝部は使用されていない。
【００２３】
第１トレイ４及び第２トレイ５のトレイ本体４０，５０は、図１１〜図１３に示すように、その表面の上部に上湾曲溝部４１，５１を設けるとともに、下部に下湾曲溝部４３，５３を設け、上湾曲溝部４１，５１と下湾曲溝部４３，５３の間に、光コネクタ収納室４２，５２を設けて構成され、光コネクタ収納室４２，５２には多数の光コネクタ保持枠４８，５８が上部の枢支部を軸に回動可能に並設される。また、並設された光コネクタ保持枠４８，５８を囲うように、光ケーブルを把持する把持フレーム４４，５４が手前に引き出し回動可能に軸支される。
【００２４】
トレイ本体４０，５０の裏面には、図１３に示すように、余長処理室４９，５９が設けられ、余長処理室４９，５９には、光ファイバ素線の余長部分を、安全な曲げ半径（例えば半径１５ｍｍ以上）の曲率で巻回するための円形枠４９ａ，５９ａが設けられ、折曲がりを防止しつつ、円形枠４９ａ，５９ａの周囲に光ファイバ素線を巻回して余長処理を行なうようになっている。
【００２５】
また、第２トレイ５のトレイ本体５０の裏面側の下部には、導入する入側光ケーブルＩＤＣを溝にはめ込んで把持する導入ケーブル把持部２６と、導出する出側光ケーブルＯＤＣを溝に嵌め込んで把持する導出ケーブル把持部２７が設けられ、この例では、最大２本の入側光ケーブルＩＤＣを、外部から導入ケーブル把持部２６を通して導入可能であり、最大４本の出側光ケーブルＯＤＣを、外部に導出ケーブル把持部２７を通して導出することができる。
【００２６】
余長処理室４９，５９は、上部の余長室と下部の余長室に仕切りを介して分けられて形成され、上部の余長室には導入ケーブル把持部２６を通して導入された入側光ケーブルＩＤＣの光ファイバ素線が入り、下部の余長室には導出ケーブル把持部２７を通して導出される出側光ケーブルＯＤＣの光ファイバ素線の余長を処理するようにし、これにより、導入用と導出用の光ファイバ素線の輻輳を防止している。
【００２７】
トレイ本体４０，５０の表面側上部に設けた上湾曲溝部４１，５１には、複数の湾曲した湾曲溝４１ａ，５１ａが上部の中央位置から左右両側に開くように湾曲して形成される。それらの湾曲溝４１ａ，５１ａには、ベーストレイ２の光スプリッタモジュール１０から導出された光ファイバ素線、或いは第２トレイ５の裏面の余長処理室５９から導入した光ファイバ素線が、素線毎に分離して通過し、トレイ本体４０，５０の表側の光ファイバ収納室４２，５２に導入されるようになっている。
【００２８】
一方、トレイ本体４０，５０の表面側下部に設けた下湾曲溝部４３，５３には、上部と上下逆方向の湾曲溝４３ａ，５３ａが湾曲して設けられ、光コネクタ収納室４２，５２から下方に導出される光ファイバ素線を、左右両側に開いて配置された溝を通して中央に集めるように湾曲して形成される。特に、第２トレイ５のトレイ本体５０は、それらの湾曲溝５３ａを通過した光コネクタ素線を、裏面側に導出させ、裏面側の余長処理室５９を経て、導出ケーブル把持部２７を通して導出される構造となっている。
【００２９】
第２トレイのトレイ本体５０の下部に設けた導入ケーブル把持部２６及び導出ケーブル把持部２７は、１本または２本以上の光ファイバ素線を有する光ケーブルを導入し或いは導出する部分である。つまり、１本または２本以上の光ファイバ素線を有する導入用の入側光ケーブルＩＤＣは、この第２トレイの導入ケーブル把持部２６を通して収納ケース１内に導入され、それらの光ファイバ素線は、上部の余長処理室４９内で余長処理された後、表側の上湾曲溝部４１を通して光コネクタ収納室４２に入り、光コネクタ収納室４２の光コネクタ保持枠４８に収納されたコネクタソケットＣＳに、コネクタプラグＣＰを介して接続される。
【００３０】
光コネクタ収納室４２の各光コネクタ保持枠４８にはコネクタソケットＣＳが保持されており、コネクタソケットＣＳの下部には導出側のコネクタプラグＣＰが接続される。導出側のコネクタプラグＣＰに接続された導出用の光ファイバ素線またはその光ケーブルは、下湾曲溝部４３の湾曲溝４３ａを通して第２トレイ５の裏面に入り、余長処理室４９にて余長処理された後、或いはそのままの出側光ケーブルＯＤＣとして、導出ケーブル把持部２７から外側に導出される。或いは、コネクタソケットＣＳの下部から導出側のコネクタプラグＣＰを介して導出された光ケーブルは、第１トレイ４のトレイ本体４０に設けた開口部から第２トレイ５の側部を通過し、ベーストレイ２のスプリッタ収納室２１に入り、光スプリッタモジュール１０（図７）に入るように配線接続される。
【００３１】
図９に示すように、第１トレイ４、第２トレイ５の各トレイ本体４０，５０の表側に設けた光コネクタ収納室４２には、多数の光コネクタ保持枠４８，５８がその上部の枢支部４８ａ，５８ａを介して、前方に引き出し回動可能に、左右横方向に並べて並設される。光コネクタ保持枠４８，５８は、図１４に示すように、断面をコ字状として縦長のアングル材状に形成され、その内部に、規格化されたコネクタソケットＣＳを、密に嵌入可能な大きさに形成されている。
【００３２】
また、光コネクタ保持枠４８，５８には、その底部に嵌合部が設けられ、コネクタソケットＣＳを光コネクタ保持枠４８，５８内の定位置に挿入したとき、その嵌合部が嵌合してコネクタソケットＣＳを保持枠内に保持するようになっている。
【００３３】
さらに、光コネクタ保持枠４８，５８の下部の奥側に、係止部４８ｂ、５８ｂが設けられ、光コネクタ保持枠４８，５８をトレイ本体４０，５０内の光コネクタ収納室４２，５２に戻し回動したとき、光コネクタ収納室４２，５２の表面に設けた係止凸部４２ａ，５２ａ（図１２）に係止され、光コネクタ保持枠４８，５８が光コネクタ収納室４２，５２の定位置に保持される構造である。
【００３４】
一方、係止部４８ｂ、５８ｂを外して光コネクタ保持枠４８，５８を手前に回動させる際には、光コネクタ保持枠４８，５８の下部に設けた把手部４８ｃ、５８ｃを持って、反係止側に光コネクタ保持枠４８，５８を撓ませれば、係止部４８ｂ、５８ｂが係止凸部４２ａ，５２ａから外れる構造となっている。また、図１７に示すように、光コネクタ保持枠４８，５８を光コネクタ収納室４２，５２の定位置から手前に引き出し回動した場合、例えば鉛直線に対し約３０程度の角度で停止するために係止部が設けられている。
【００３５】
さらに、図９に示す如く、第１トレイ４、第２トレイ５の各トレイ本体４０，５０の表側には、光コネクタ収納室４２の光コネクタ保持枠４８，５８の周囲を囲うように、コ字状の把持フレーム４４，５４が手前に引き出し回動可能に取り付けられる。把持フレーム４４，５４は、図１５に示すように、上向きコ字状の枠型に形成され、下部にケーブル把持部４５，５５が設けられ、上両端部に枢支部４４ａ，５４ａが形成される。把持フレーム４４，５４は、その上部の枢支部４４ａ，５４ａを、図９のように、トレイ本体４０，５０の上部に設けた上枢支部４７，５７に回動可能に嵌合され、図１８に示す如く、鉛直線に対し例えば約３０度の角度まで手前に引き出し回動可能となっている。
【００３６】
さらに、把持フレーム４４，５４の下部には、図１５に示す如く、多数の導出用把持溝４６，５６を所定間隔で形成したケーブル把持部４５，５５が水平に設けられる。このケーブル把持部４５，５５の導出用把持溝４６，５６は、光コネクタ保持枠４８，５８と同数だけ（例えば８個）所定の間隔で並設され、光コネクタ保持枠４８，５８内のコネクタソケットＣＳに接続する光ケーブルを通したとき、安定して保持可能な真下位置に配置される。導出用把持溝４６，５６の内側には複数の凸部が形成され、配線時、光ケーブルを導出用把持溝４６，５６内に前側から押し込むだけで、容易に把持されるようになっている。なお、把持フレーム４４，５４は、図１６のような所定角度まで引き出し回動したとき、所定位置で停止する構造であり、トレイ本体４０，５０の内側の収納位置に戻したとき、定位置で係止される係止部がトレイ本体４０，５０に設けられている。
【００３７】
これにより、把持フレーム４４，５４を手前に引き出し回動したとき、そのケーブル把持部４５，５５に光ケーブルが把持されている場合、その光ケーブルも手前に引き出されることとなる。このため、光ケーブルが接続されたコネクタソケットＣＳが収納された光コネクタ保持枠４８，５８の係止部４８ｂ、５８ｂを外した状態とすれば、コネクタソケットＣＳを保持した光コネクタ保持枠４８，５８がその上部の枢支部４８ａ，５８ａを介して手前に回動して引き出されるので、光ケーブルが接続されていない光コネクタ保持枠４８，５８は光コネクタ収納室４２に残ることになる。
【００３８】
したがって、光コネクタ保持枠４８、５８に新たなコネクタソケットＣＳを嵌め込んでコネクタプラグＣＰなどを接続する作業を行なう場合、既に接続されたコネクタソケットＣＳやコネクタプラグＣＰに触れることなく、容易に接続作業を行うことができる。また、コネクタソケットＣＳを保持する光コネクタ保持枠４８，５８は、各々が単独で、上部の枢支部４８ａ，５８ａを介して手前に引き出し可能となっているので、必要な光コネクタ保持枠４８，５８を手前に引き出して、簡単にコネクタソケットＣＳを嵌め込み、その上部と下部に、光ケーブル或いは光ファイバ素線の端部のコネクタプラグＣＰを簡単に差し込んで接続することができる。
【００３９】
図１０，１８，１９に示すように、ベーストレイ２の上（手前）には、第１トレイ４がヒンジ部４０ａを介して開閉可能に取り付けられるが、その第１トレイ４の上（手前）には、第２トレイ５がヒンジ部５０ａを開閉可能に取り付けられる。ヒンジ部４０ａ及びヒンジ部５０ａは同一の支軸２３（図６）により軸支される。この例の第１トレイ４は、基本的には、光スプリッタモジュール１０から分岐されて導出された複数の光ファイバ素線を、余長処理室４９で余長処理した後、表側のコネクタソケットＣＳに接続し、各々の単芯ドロップケーブルを、把持フレーム４４の導出用把持溝４６を通して外部に導出するようになっている。
【００４０】
第２トレイ５は、第１トレイ４と同じ構成のトレイであり、その内側の光コネクタ収納室５２には、多数の光コネクタ保持枠５８がその上部の枢支部５８ａを介して引き出し回動可能に取り付けられ、さらに、その光コネクタ保持枠５８を収納した光コネクタ収納室５２の周囲を囲うように、コ字状の把持フレーム５４がその上部を、上枢支部５７を介して手前に引き出し回動可能に取り付けられる。
【００４１】
第２トレイ５は、図１６のように、そのトレイ本体５０の背面側の下部に、導入ケーブル把持部２６と導出ケーブル把持部２７が設けられ、外部から導入される入側光ケーブルＩＤＣを、導入ケーブル把持部２６を通して、第２トレイ５の裏面に設けた余長処理室５９に導入するようになっており、さらに、導出ケーブル把持部２７を通して出側光ケーブルＯＤＣを導出する構造となっている。この導出ケーブル把持部２７を通して外部に導出される光ケーブルは、その内部に２本以上の光ファイバ素線を有する光ケーブルであり、その場合に導出ケーブル把持部２７は使用される。なお、加入者側に引き落とすための、１本の光ファイバを有した単芯ドロップケーブルは、上記第１トレイ４下部のケーブル把持部４５及び第２トレイ５下部のケーブル把持部５５の各導出用把持溝４６，５６を通して導出するようになっている。
【００４２】
次に、上記構成の光コネクタ収納ケースの使用態様を説明する。例えば、集合住宅等の建物において、地下から光ケーブル用の引上げ管Ｐがその上部を露出して鉛直に埋設され、引上げ管Ｐを通して局側の光ケーブルが建物に引き込まれる場合がある。そのような場合、図２，２０，２１に示すように、光コネクタの収納ケース１は、そのベーストレイ２の背面に設けた管クランプ２８を用いて、引上げ管Ｐに固定され、或いは図２２のよう、に引上げ管Ｐに隣接して設けられたサポート管ＳＰに立設姿勢で固定される。
【００４３】
図２，２０，２１の場合の引上げ管Ｐの上部は開口し、そこから入側光ケーブルＩＤＣが引き出され、収納ケース１内に入側光ケーブルＩＤＣが導入される。図２２のように、引上げ管Ｐの上部に、既存の端子函ＴＫが取り付けられている場合、引上げ管Ｐの隣接位置にサポート管ＳＰが取付ブラケットＴＢを介して取り付けられ、そのサポート管ＳＰの上部に収納ケース１が取付固定される。なお、収納ケース１は、引上げ管Ｐやサポート管ＳＰのほか、壁面などに取り付けることもできる。
【００４４】
収納ケース１内の第１トレイ４の光コネクタ収納室４２及び第２トレイ５の光コネクタ収納室５２には、必要な数のコネクタソケットＣＳが、光コネクタ収納室４２内の光コネクタ保持枠４８及び光コネクタ収納室５２内の光コネクタ保持枠５８に、嵌め込まれて嵌着される。この図例の場合、第１トレイ４及び第２トレイ５の光コネクタ収納室４２、５２の光コネクタ保持枠４８，５８には、最大１６個のコネクタソケットＣＳを収納して光ケーブルの接続に使用することができる。
【００４５】
引上げ管Ｐを通して導入される局側の入側光ケーブルＩＤＣは、第２トレイ５を開き、その下部背面側の導入ケーブル把持部２６から収納ケース１内に導入される。この図例では、１本または２本の入側光ケーブルＩＤＣが導入ケーブル把持部２６の把持溝２６ａ（図１３）を通して導入され、各入側光ケーブルＩＤＣは把持溝２６ａに押し込むことにより、溝内に簡単に保持させることができる。導入された入側光ケーブルＩＤＣは、導入ケーブル把持部２６から第２トレイ５の裏面側上部の余長処理室５９に入り、ここで光ケーブルの被覆層を剥離して露出した光ファイバ素線が、余長処理室５９内の円形枠５９ａに巻回されて余長処理される。さらに、光ファイバ素線の先端側は、第２トレイ５の上部開口を通してその表側に入り、各光ファイバ素線の先端にコネクタプラグＣＰが接続される。各コネクタプラグＣＰは光コネクタ収納室５２内の光コネクタ保持枠５８内のコネクタソケットＣＳに上から差し込み接続される。
（第１使用形態）
例えば、導入ケーブル把持部２６に把持される入側光ケーブルＩＤＣに複数（１〜８本）の光ファイバ素線が包含される場合、それらの光ファイバ素線は余長処理された後、各光ファイバ素線の先端にコネクタプラグＣＰが接続され、各光ファイバ素線は第２トレイ５の上部開口から上湾曲溝部５１の湾曲溝５１ａを通り、光コネクタ収納室５２内に並設された複数の光コネクタ保持枠５８内の各コネクタソケットＣＳに、上から差し込み接続される。このとき、各光ファイバ素線は上湾曲溝部５１の湾曲溝５１ａを通り平面的に分散するように広げられ、光コネクタ収納室５２に入るので、複数の光ファイバ素線を輻輳させずに、適正に配線することができる。また、各コネクタソケットＣＳにコネクタプラグＣＰを接続する際、コネクタソケットＣＳの光コネクタ保持枠５８は単独で手前に引き出し回動することができるので、図１７に示すように全体を、或いは任意の数だけ、手前に引き出し回動させ、簡便にコネクタプラグＣＰの接続作業を行なうことができる。
【００４６】
導出ケーブルとして、複数の光ファイバ素線を含む出側光ケーブルＯＤＣを使用する場合、第２トレイ５の背面側下部の導出ケーブル把持部２７に出側光ケーブルＯＤＣを把持させて導出用に配線する。この場合、第２トレイ５の導出ケーブル把持部２７の把持溝２７ａ（図１３）には、例えば２〜８本の光ファイバ素線を含む出側光ケーブルＯＤＣを最大４本まで通して把持させ、使用することができる。導出ケーブル把持部２７の把持溝２７ａを通り第２トレイ５の背面側に入った導出側の出側光ケーブルＯＤＣは、その被覆層を剥離して２〜８本の光ファイバ素線を露出させ、それらの光ファイバ素線を余長処理室５９内で余長処理した後、光ファイバ素線の先端を余長処理室５９からトレイの開口を通してトレイ表側に引き出し、下湾曲溝部５３の各湾曲溝５３ａを通して光コネクタ収納室５２に入れる。
【００４７】
各光ファイバ素線の先端には所定のコネクタプラグＣＰが接続され、光コネクタ収納室５２内に並設した各光コネクタ保持枠５８内のコネクタソケットＣＳの下側に各コネクタプラグＣＰが差し込まれ接続される。これにより、導入ケーブル把持部２６を通して導入した複数の光ファイバ素線を含む入側光ケーブルＩＤＣは、余長処理された状態で、光コネクタ収納室５２のコネクタソケットＣＳとコネクタプラグＣＰからなる光コネクタを通り、複数の光ファイバ素線を含む出側光ケーブルＯＤＣが導出ケーブル把持部２７を通して導出されることとなる。
【００４８】
このような接続作業のとき、例えば、既に第２トレイ５の把持フレーム５４下部のケーブル把持部５５を通してドロップケーブルが一部のコネクタソケットＣＳに接続されて配線されている場合、ケーブル把持部５５を図１９のように手前に引き出し回動したとき、光コネクタ保持枠５８の係止部５８ｂの係止を外しておけば、既に接続されているドロップケーブルＤＣが光コネクタ保持枠５８のコネクタソケットＣＳと共に手前に引き出し回動される。このため、第２トレイ５の光コネクタ収納室５２に残る光コネクタ保持枠５８内のコネクタソケットＣＳには、既に配線されたドロップケーブルＤＣや光ファイバ素線に触れずに、ドロップケーブルや光ファイバ素線が作業の邪魔にならず、容易に接続作業を行うことができる。
（第２使用形態）
一方、光コネクタ収納室５２内の各光コネクタ保持枠５８に保持された各コネクタソケットＣＳの下側に、加入者側に接続されるドロップケーブルＤＣを接続する場合、図１７に示すように、最大８本のドロップケーブルＤＣ（単芯ファイバケーブル）を、第２トレイ５の把持フレーム５４下部のケーブル把持部５５の各導出用把持溝５６に、押し込むように把持させて配線する。単芯の光ファイバ素線を有する各ドロップケーブルＤＣの先端は、被覆層を剥離して、その光ファイバ素線の先端にコネクタプラグＣＰが接続される。各ドロップケーブルＤＣのコネクタプラグＣＰは、上記光コネクタ収納室５２内の各光コネクタ保持枠５８に保持された各コネクタソケットＣＳの下側に差し込まれ、接続される。
【００４９】
この場合、図１８の如く、把持フレーム５４を手前に引き出し回動させて、ケーブル把持部５５を手前に引き出すことができ、光コネクタ保持枠５８の係止部５８ｂの係止を外せば、各コネクタソケットＣＳを保持する各光コネクタ保持枠５８を手前に引き出し回動することができるので、ドロップケーブルＤＣの接続やコネクタプラグＣＰの接続作業を簡便に行うことができる。
【００５０】
このとき、既に接続されているドロップケーブルＤＣは、光コネクタ保持枠５８のコネクタソケットＣＳと共に手前に引き出し回動される。このため、第２トレイ５の光コネクタ収納室５２に残る光コネクタ保持枠５８内のコネクタソケットＣＳには、既に配線されたドロップケーブルＤＣや光ファイバ素線に触れずに、ドロップケーブルＤＣや光ファイバ素線が作業の邪魔にならず、容易に接続作業を行うことができる。
【００５１】
このように、導出側のドロップケーブルＤＣ（加入者側に落とす単芯ファイバケーブル）が複数本（ここでは最大８本）ある場合、各ドロップケーブルＤＣは、第２トレイ５のケーブル把持部５５の導出用把持溝５６を通り、光コネクタ収納室５２内に入れられ、各ドロップケーブルＤＣは把持フレーム５４の下部のケーブル把持部５５の導出用把持溝５６に押し込むことにより、簡単に収納ケース１内に保持させることができる。
【００５２】
また、光コネクタ保持枠５８内の各コネクタソケットＣＳにドロップケーブルＤＣを接続する場合には、各ドロップケーブルＤＣの光ファイバ素線の先端にコネクタプラグＣＰを接続し、各コネクタプラグＣＰを各コネクタソケットＣＳに下から差し込み接続すればよく、この場合も、各コネクタソケットＣＳを保持する光コネクタ保持枠５８は、第２トレイ５の光コネクタ収納室５２から手前に引き出し回動することができるので、コネクタソケットＣＳへの接続作業を容易に行うことができる。
（第３使用形態）
一方、第２トレイ５の光コネクタ収納室５２内に導入された光ケーブルまたはその一部の光ファイバ素線を、光スプリッタモジュール１０を通して複数の光ファイバ素線に分岐して導出する場合、ベーストレイ２内に収納された光スプリッタモジュール１０を使用する。
【００５３】
すなわち、光スプリッタモジュール１０の入力側の光ケーブルを、光コネクタ収納室５２内の該当する光コネクタ保持枠５８に保持されたコネクタソケットＣＳの下側に、その光スプリッタモジュール１０の入力側の光ケーブルの先端のコネクタプラグＣＰを差し込んで接続する。
【００５４】
この場合も、当該コネクタソケットＣＳを保持した光コネクタ保持枠５８は単独で手前に引き出し回動することができるので、簡便に接続作業を行なうことができる。また、既に一部の光コネクタ保持枠５８のコネクタソケットＣＳに、把持フレーム５４の下部のケーブル把持部５５を通してドロップケーブルＤＣが接続されている場合には、その光コネクタ保持枠５８の係止部５８ｂを外し、把持フレーム５４を手前に引き出すように回動した状態とすれば、既に配線された光ファイバ素線や光ケーブルに触れずに、接続作業を行なうことができる。
【００５５】
光スプリッタモジュール１０により分岐された各光ファイバ素線を、ドロップケーブルに接続して加入者側に導出する場合、導出する場加入者側へのドロップケーブルＤＣは、図１８のように、第１トレイ４の把持フレーム４４下部のケーブル把持部４５に設けた導出用把持溝４６に嵌め込むように把持され、収納ケース１内に引き込まれる。ドロップケーブルＤＣの先端は、被覆層を剥離し、露出した光ファイバ素線の先端にコネクタプラグＣＰを接続し、それらのコネクタプラグＣＰは、光コネクタ収納室４２の光コネクタ保持枠４８内に保持されるコネクタソケットＣＳの下部に差し込まれて接続される。
【００５６】
このように、導入された光ケーブルの光ファイバ素線を、光スプリッタモジュール１０を通して複数の光ファイバ素線に分岐して配線する場合、光スプリッタモジュール１０の分岐出力側の複数の光ファイバ素線は、ベーストレイ２内のスプリッタ収納室２１からその上側の第１トレイ４の余長処理室４９に入り、そこで余長処理された後、複数の光ファイバ素線は、トレイ上部の開口から第１トレイ４の表側の上湾曲溝部４１の各湾曲溝４１ａを通り、光コネクタ収納室４２の上部に入る。
【００５７】
この場合も、複数の光ファイバ素線は、上記と同様に、上湾曲溝部４１の各湾曲溝４１ａを通ることにより、平面的に分散されて光コネクタ収納室４２に配線され、光ファイバ素線を輻輳させることなく配線することができる。分岐された複数の光ファイバ素線の先端にはコネクタプラグＣＰが接続され、それらのコネクタプラグＣＰは、第１トレイ４の光コネクタ収納室４２に並設された各光コネクタ保持枠４８内のコネクタソケットＣＳの上部に差し込まれ接続される。
【００５８】
これにより、導入ケーブル把持部２６を通して導入された光ケーブルは、その一部の光ファイバ素線が光スプリッタモジュール１０により複数に分岐され、分岐された光ファイバ素線が、第１トレイ４の各光コネクタ保持枠４８内のコネクタソケットＣＳに接続され、把持フレーム４４下部のケーブル把持部４５に把持された単芯ファイバの各ドロップケーブルＤＣにコネクタソケットＣＳを介して接続され、加入者側のドロップケーブルＤＣとしてケーブル把持部４５から導出されることとなる。
【００５９】
このように、開閉可能な第１トレイ４及び第２トレイ５の裏面側に、余長処理室４９，５９を設け、表面側に光コネクタ収納室４２，５２を設けているため、余長処理と光コネクタの接続操作を分離して行なうことができ、光ファイバ素線と光ケーブルがケース内で輻輳する状態を回避して、光コネクタの接続作業を適正に効率良く行なうことができる。
【００６０】
また、光コネクタを保持する各光コネクタ保持枠４８，５８が前方に引き出し回動可能に枢支されているので、コネクタプラグＣＰをコネクタソケットＣＳに差し込んで接続する際、各光コネクタ保持枠４８，５８を前方に引き出して、簡単に接続することができる。さらに、把持フレーム４４，５４を前に引き出した場合、光コネクタ保持枠４８，５８に保持された既設の光コネクタとそこに接続された光ケーブルが前方に引き出されるので、第２トレイ５内の未接続の光コネクタにコネクタプラグＣＰや光ファイバ素線を接続する際、既設の光コネクタや光ケーブルが邪魔にならず、既設の光ファイバ素線に触れずに安全に接続作業を行なうことができる。
【符号の説明】
【００６１】
１      収納ケース
２      ベーストレイ
３      カバー
３ａ    係止部
４      第１トレイ
５      第２トレイ
１０    光スプリッタモジュール
２１    スプリッタ収納室
２２    支柱
２３    支軸
２４    嵌合溝
２６    導入ケーブル把持部
２６ａ  把持溝
２７    導出ケーブル把持部
２７ａ  把持溝
２８    管クランプ
４０    トレイ本体
４０ａ  ヒンジ部
４１    上湾曲溝部
４１ａ  湾曲溝
４２    光コネクタ収納室
４２ａ  係止凸部
４３    下湾曲溝部
４３ａ  湾曲溝
４４    把持フレーム
４４ａ  枢支部
４５    ケーブル把持部
４６    導出用把持溝
４７    上枢支部
４８    光コネクタ保持枠
４８ａ  枢支部
４８ｂ  係止部
４８ｃ  把手部
４９    余長処理室
４９ａ  円形枠
５０    トレイ本体
５０ａ  ヒンジ部
５１    上湾曲溝部
５１ａ  湾曲溝
５２    光コネクタ収納室
５３    下湾曲溝部
５３ａ  湾曲溝
５４    把持フレーム
５５    ケーブル把持部
５６    導出用把持溝
５７    上枢支部
５８    光コネクタ保持枠
５８ａ  枢支部
５８ｂ  係止部
５９    余長処理室
５９ａ  円形枠
【図１】
0005701240.tif 000002
【図２】
0005701240.tif 000003
【図３】
0005701240.tif 000004
【図４】
0005701240.tif 000005
【図５】
0005701240.tif 000006
【図６】
0005701240.tif 000007
【図７】
0005701240.tif 000008
【図８】
0005701240.tif 000009
【図９】
0005701240.tif 000010
【図１０】
0005701240.tif 000011
【図１１】
0005701240.tif 000012
【図１２】
0005701240.tif 000013
【図１３】
0005701240.tif 000014
【図１４】
0005701240.tif 000015
【図１５】
0005701240.tif 000016
【図１６】
0005701240.tif 000017
【図１７】
0005701240.tif 000018
【図１８】
0005701240.tif 000019
【図１９】
0005701240.tif 000020
【図２０】
0005701240.tif 000021
【図２１】
0005701240.tif 000022
【図２２】
0005701240.tif 000023